(57)【要約】【課題】  複数の処理フェーズを経ることが義務づけられた作業アイテムに対し、実際に処理を施しつつ、各処理フェーズにおける処理履歴の管理をも同時に行うことが出来る情報処理プログラム及び情報処理装置の提供。【解決手段】  コンピュータに、作業アイテムの受付から結果の出力に至る一連の処理シーケンスに則り複数の処理フェーズのメニューウインドウ及び前記作業アイテムの識別子を一括表示したメインメニューを表示すると共に、当該メインメニューにおける現フェーズのメニューウインドウにおいて前記作業アイテムが選択され当該作業アイテムのデータに対する処理指令を受け付けることによって、当該処理指令に割り当てられた処理プログラムを適用すると共に、当該作業アイテムの識別子を前記現フェーズのメニューウインドウから次フェーズのメニューウインドウへ移す処理移行手段として機能させる処理移行プログラムを備えた情報処理プログラム。【選択図】      図１ 
2005352585.tif 000002
【特許請求の範囲】
【請求項１】
コンピュータに、
作業アイテムの受付から結果の出力に至る一連の処理シーケンスに則り複数の処理フェーズのメニューウインドウ及び前記作業アイテムの識別子を一括表示したメインメニューを表示すると共に、当該メインメニューにおける現フェーズのメニューウインドウにおいて前記作業アイテムが選択され当該作業アイテムのデータに対する処理指令を受け付けることによって、当該処理指令に割り当てられた処理プログラムを適用すると共に、当該作業アイテムの識別子を前記現フェーズのメニューウインドウから次フェーズのメニューウインドウへ移す処理移行手段として機能させる処理移行プログラムを備えた情報処理プログラム。
【請求項２】
コンピュータに、
前記現フェーズのメニューウインドウから次フェーズのメニューウインドウへの作業アイテムの識別子のドラッグ＆ドロップを前記処理指令とした処理移行手段として機能させる処理移行プログラムを備えた前記請求項１に記載の情報処理プログラム。
【請求項３】
コンピュータに、
与えられた納期を受け付けて当該納期に応じて各処理フェーズのメニューウインドウにおける処理移行期限を割り当てると共に、当該処理移行期限の到来を予告（月、日、時のいずれを単位としても良い）するメッセージを前記作業アイテムの識別子に付するスケジュール管理手段として機能させるスケジュール管理プログラムを備えた前記請求項１又は請求項２のいずれかに記載の情報処理プログラム。
【請求項４】
コンピュータにより構成された、
作業アイテムの受付から結果の出力に至る一連の処理シーケンスに則り複数の処理フェーズのメニューウインドウ及び前記作業アイテムの識別子を一括表示したメインメニューを表示すると共に、当該メインメニューにおける現フェーズのメニューウインドウにおいて前記作業アイテムが選択され当該作業アイテムのデータに対する処理指令を受け付けることによって、当該処理指令に割り当てられた処理プログラムを適用すると共に、当該作業アイテムの識別子を前記現フェーズのメニューウインドウから次フェーズのメニューウインドウへ移す処理移行手段を備える情報処理装置。
【請求項５】
コンピュータにより構成された、
前記現フェーズのメニューウインドウから次フェーズのメニューウインドウへの作業アイテムの識別子のドラッグ＆ドロップを前記処理指令とした処理移行手段を備える前記請求項４に記載の情報処理装置。
【請求項６】
コンピュータにより構成された、
与えられた納期を受け付け当該納期に応じて各処理フェーズのメニューウインドウにおける処理移行期限を割り当てると共に、当該処理移行期限の到来を予告（月、日、時のいずれを単位としても良い）するメッセージを前記作業アイテムの識別子に付するスケジュール管理手段を備える前記請求項４又は請求項５のいずれかに記載の情報処理装置。
【請求項７】
ネットワークに接続可能なコンピュータであって、
ネットワークサーバーのデータベースに接続して作業アイテムに係る既存データの読み込み及び新規データ書き出しを行う通信手段と、前記作業アイテムの受付から結果の出力に至る一連の処理シーケンスに則り複数の処理フェーズのメニューウインドウ及び前記ネットワークサーバーのデータベースから読み出した作業アイテムの識別子を一括表示したメインメニューを表示すると共に、当該メインメニューにおける現フェーズのメニューウインドウにおいて前記作業アイテムが選択され当該作業アイテムのデータに対する処理指令を受け付けることによって、当該処理指令に割り当てられた処理プログラムを適用すると共に、当該作業アイテムの識別子の表示を前記現フェーズのメニューウインドウから次フェーズのメニューウインドウへ移す処理移行手段を備えた情報処理装置。
【請求項８】
コンピュータにより構成された、
前記現フェーズのメニューウインドウから次フェーズメニューウインドウへの作業アイテムの識別子のドラッグ＆ドロップを前記処理指令とした処理移行手段を備える前記請求項７に記載の情報処理装置。
【請求項９】
コンピュータにより構成された、
与えられた納期を受け付け当該納期に応じて各処理フェーズのメニューウインドウにおける処理移行期限を割り当てると共に、当該処理移行期限の到来を予告するメッセージを前記作業アイテムの識別子に付するスケジュール管理手段を備える前記請求項７又は請求項８のいずれかに記載の情報処理装置。
【請求項１０】
コンピュータにより構成された、
作業アイテムの受付から結果の出力に至る一連の処理シーケンスに則り複数の処理フェーズの使用制限設定ウインドウ、及び各処理フェーズの前記ネットワークサーバーから読み出した使用制限事項を一括表示したユーザー別の使用制限メニューを表示すると共に、当該使用制限メニューにおける各フェーズの使用制限設定ウインドウに与えられた設定司令に基づき前記使用制限事項の設定を前記ネットワークサーバーに登録するユーザー管理手段と、
当該ユーザー管理手段で設定されたユーザー毎の使用制限事項に基づき、許可された処理フェーズにおける許可された作業カテゴリの範囲内で、前記処理移行手段に対する処理司令をアクティブとする司令判定手段と、
当該情報処理システムを利用する許可を持った者であるか否か、及び前記ユーザー管理手段を稼働させ得る管理者であるか否かを判定する認証手段を備える前記請求項７乃至請求項９に記載の情報処理装置。
【発明の詳細な説明】
【技術分野】
【０００１】
本発明は、作業アイテムたるデータを取得し、処理し、処理結果を引き渡すためのシステムに関するものであって、詳しくは、前記処理結果の引き渡し手法、及び当該引き渡し状態の表示手法に関する。
【背景技術】
【０００２】
所謂ＯＡ機器の普及が顕著である今日、従来書面によって処理されていた種々の未処理案件等（以下、作業アイテムと記す。）が情報データとして多数コンピュータに登録され、各情報データに対して種々の業務に応じた処理が複数施され、その結果得られた最終情報が商品として顧客に提供されるという業務形態が目覚ましく普及している。その結果、今日扱われる情報が書面として保存される事が益々減少し、コンピュータによるデータベース化一辺倒となる傾向を強めているところである。
【発明の開示】
【発明が解決しようとする課題】
【０００３】
この様に、情報が逐一データベース化されると、情報の所在は、コンピュータを検索し、情報が記録されたファイルを探しだし、そのファイルの内容や進捗状況を確認した上で所定の処理を施さなければならない。しかしながら、ファイルの保存先やファイル名は作成者のみが知る場合が多く、また、その進捗状況を知るには当該ファイルの内容をつぶさに検証しなければならないことから、当該作成者が不在の場合には、肝心な作業を行う前に当該作業アイテムの処理完了済みフェーズを調べるという極めて煩雑な事前作業をこなさなければならないと言う不都合があった。
【０００４】
また、業務には納期が付き物であることから、それらの納期管理も必要となり、殊に多くの作業アイテムが登録され、それらの処理が日々個々に進捗していくこととなれば、それらの進捗状況が所定のスケジュールを満足しているものであるか否かの判断を把握することも容易ではない。
【０００５】
加えて、その業務に複数の処理フェーズが存在し、それぞれについて異なった処理が行われる場合には、当該業務の進行に従ってそれぞれの作業アイテムについて異なった種類の情報データがファイル化される場合もあり、更には、バックアップファイル等、管理すべき情報データも増加する結果、それらの管理作業もユーザーにとって煩雑なものとなる。
【０００６】
上記の様にユーザーが被る作業の煩雑さを解消する手法として、例えば下記特許文献１に開示されている様なユーザーインターフェースを充実させる手法や、例えば下記特許文献２に開示されている様なユーザーのスケジュールイベントに関連する作業アイテムに合わせてユーザーにリマインダーを通知するスケジュール管理システムが紹介されているが、前記不都合を解消するには至っていない。
【特許文献１】特開平１１−３１２０６４号公報
【特許文献２】特開２００１−３５０８８４号公報
【０００７】
本発明は、上記実情に鑑みてなされたものであって、複数の処理フェーズを経ることが義務づけられた作業アイテムに対し、実際に処理を施しつつ、各処理フェーズにおける処理履歴の管理をも同時に行うことが出来る情報処理プログラム及び情報処理装置の提供を目的とする。
【課題を解決するための手段】
【０００８】
上記課題を解決する為に成された本発明による情報処理プログラムは、コンピュータに、作業アイテムの受付から結果の出力に至る一連の処理シーケンスに則り複数の処理フェーズのメニューウインドウ及び前記作業アイテムの識別子を一括表示したメインメニューを表示すると共に、当該メインメニューにおける現フェーズのメニューウインドウにおいて前記作業アイテムが選択され当該作業アイテムのデータに対する処理指令を受け付けることによって、当該処理指令に割り当てられた処理プログラムを適用すると共に、当該作業アイテムの識別子を前記現フェーズのメニューウインドウから次フェーズのメニューウインドウへ移す処理移行手段として機能させる処理移行プログラムを備えたことを特徴とし、本発明による情報処理装置は、コンピュータにより構成された前記処理移行手段を備えることを特徴とする。
【０００９】
尚、前記一連の処理シーケンスとは、ある結果を得る為に順序立てて構成された分業体系である。前記処理司令としては、前記現フェーズのメニューウインドウから次フェーズのメニューウインドウへの作業アイテムの識別子のドラッグ＆ドロップが挙げられる。与えられた納期を受け付けて当該納期に応じて各処理フェーズのメニューウインドウにおける処理移行期限を割り当てると共に、当該処理移行期限の到来を予告（月、日、時のいずれを単位としても良い）するメッセージを前記作業アイテムの識別子に付するスケジュール管理手段として機能させるスケジュール管理プログラムを備える情報処理プログラムとすることもでき、また、当該スケジュール管理手段を具備した情報処理装置とすることも出来る。
【００１０】
上記課題を解決する為の他の手段としては、ネットワークに接続可能なコンピュータであって、ネットワークサーバーのデータベースに接続して作業アイテムに係る既存データの読み込み及び新規データ書き出しを行う通信手段と、前記作業アイテムの受付から結果の出力に至る一連の処理シーケンスに則り複数の処理フェーズのメニューウインドウ及び前記ネットワークサーバーのデータベースから読み出した作業アイテムの識別子を一括表示したメインメニューを表示すると共に、当該メインメニューにおける現フェーズのメニューウインドウにおいて前記作業アイテムが選択され当該作業アイテムのデータに対する処理指令（前記現フェーズのメニューウインドウから次フェーズメニューウインドウへの作業アイテムの識別子のドラッグ＆ドロップ等）を受け付けることによって、当該処理指令に割り当てられた処理プログラムを適用すると共に、当該作業アイテムの識別子の表示を前記現フェーズのメニューウインドウから次フェーズのメニューウインドウへ移す処理移行手段を備えた情報処理装置とすることも出来、先の手段と同様に、与えられた納期を受け付け当該納期に応じて各処理フェーズのメニューウインドウにおける処理移行期限を割り当てると共に、当該処理移行期限の到来を予告するメッセージを前記作業アイテムの識別子に付するスケジュール管理手段を備える情報処理装置とする事も出来る。
【００１１】
また、コンピュータにより構成された、作業アイテムの受付から結果の出力に至る一連の処理シーケンスに則り複数の処理フェーズの使用制限設定ウインドウ、及び各処理フェーズの前記ネットワークサーバーから読み出した使用制限事項を一括表示したユーザー別の使用制限メニューを表示すると共に、当該使用制限メニューにおける各フェーズの使用制限設定ウインドウに与えられた設定司令に基づき前記使用制限事項の設定を前記ネットワークサーバーに登録するユーザー管理手段と、当該ユーザー管理手段で設定されたユーザー毎の使用制限事項に基づき、許可された処理フェーズにおける許可された作業カテゴリの範囲内で、前記処理移行手段に対する処理司令をアクティブとする司令判定手段と、
当該情報処理システムを利用する許可を持った者であるか否か、及び前記ユーザー管理手段を稼働させ得る管理者であるか否かを判定する認証手段を備えることもできる。
【発明の効果】
【００１２】
本発明による情報処理プログラムや情報処理装置によれば、情報が逐一データベース化されたとしても、最終的には単一の作業アイテムとして、その進捗情報が各処理フェーズのメニューウインドウを一括して備えるメインメニューに表示されるので、情報の所在が明確となる他、特定の担当者でなくとも、当該ファイルの内容をつぶさに検証することなくその内容や進捗状況が比較的容易に判断できる。而して、肝心な作業を行う前に当該作業アイテムの処理完了済みフェーズを調べるという極めて煩雑な作業が省かれ、作業促進に寄与する。また、更に前記認証手段を設けることによって、情報処理ネットワークを介して種々の処理が行われる事となった場合であっても、たとえ各処理フェーズそれぞれにおいて作業を行うことを許可された作業者が特定され、作業者各人の適正、経験、資格、或いは権限に基づく適正な処理が図られることとなる。
【発明を実施するための最良の形態】
【００１３】
以下、本発明による情報処理プログラム及び情報処理装置の実施の形態を、鉄筋の加工依頼から加工した鉄筋の納品に至る業務に基づき詳細に説明する。
【００１４】
ここで示す情報処理装置は、キーボードやマウス等の入力装置、並びにディスプレイ装置及びプリンタ等の出力装置を備えたコンピュータで構成され、加工帳受付、加工帳作成、鉄筋形状グループ分け（加工単位作成）、定尺割当、ライン（加工）割当、絵符印刷、加工指示書印刷、積載書作成、及び積載指示書印刷等からなる複数の処理フェーズ（図２参照）について、作業アイテムの受付から結果の出力に至る一連の処理シーケンスに則り複数の処理フェーズのメニューウインドウ１を一括表示したメインメニュー（図９参照）２における現フェーズのメニューウインドウ１において作業アイテムが選択され当該作業アイテムに対する処理指令を受け付けることによって前記情報処理プログラムの前記処理指令に割り当てられた処理プログラムを適用すると共に、当該作業アイテムの表示を前記現フェーズのメニューウインドウ１から次フェーズのメニューウインドウ１へ移す処理移行手段（図１参照）を備える情報処理装置である。
【００１５】
当該情報処理装置の諸機能は、コンピュータの記憶装置に記録されている前記情報処理プログラムによって選択的に稼働されるものであって、当該例においては、データベースから種々のフォームを抽出して前記ディスプレイ装置に出力し、ユーザーからの各種指令及びデータの入力を促す入力支援手段と、作業アイテムのプロフィールを受け付けると共に、その内容をデータベースへ登録する作業アイテム登録手段と、前記情報の登録に際して予め与えられた必須入力事項が完備されているか否かを示すメッセージを前記作業アイテムの表示に付する内容管理手段と、前記各処理フェーズにおいて適用されるべく各処理プログラムの実行によってそれぞれ機能する加工帳作成手段、加工単位作成手段、定尺割当手段、ライン割当手段、絵符印刷手段、加工指示書作成手段、並びに積載書作成手段、及び積載指示書印刷手段、並びに前記処理移行手段、フラグ管理手段、及びスケジュール管理手段が設けられている（図３参照）。
【００１６】
当該情報処理プログラムが稼働すると、前記データベースからメインメニュー２のフォームが読み出されて前記ディスプレイ装置へ出力される。当該メインメニュー２には、加工帳受付中と加工帳受付完了の二つのメニューウインドウ１Ａ，１Ｂからなる加工帳受付メニューと、加工帳作成中、加工単位作成中、定尺割当中、及び定尺割当完了の四つのメニューウインドウ１Ｃ，１Ｄ，１Ｅ，１Ｆからなる加工帳作成メニューと、それぞれ一つのメニューウインドウ１Ｇ，１Ｈを持つ加工割当メニュー及び積載書作成メニューと、加工割当済み、絵符印刷済み、加工指示済み、及び加工完了の四つのメニューウインドウ１Ｉ，１Ｊ，１Ｋ，１Ｌからなる加工メニューと、積載書作成済み、積載指示済み、積載完了、及び納品完了の四つのメニューウインドウ１Ｍ，１Ｎ，１Ｏ，１Ｐからなる積載出荷メニューが、作業アイテムの受付から結果の出力に至る一連の処理シーケンスに則った各処理フェーズのメニューとして備えられており、処理過程にある状態のメニューウインドウ１には、当該処理フェーズにあるアイテムの識別子たるアイコン３及びラベル４が一覧的に表示され、中間フェーズのアイテムを途中登録する際の便宜として、各メニューウインドウのいずれにも新規作成とのラベルが付されたアイコン３が設けられており、それぞれに固有のメニューＩＤ（ここでは、前記各メニューウインドウに付された引き出し符号（１Ａ〜１Ｐ）を、メニューＩＤとしても仮定した上で説明する。）が付与されている。
【００１７】
前記データベースには、当該情報処理装置が各種機能に奏する際に入力支援を行うべく読み出される複数のフォームや、登録された作業アイテムにかかる複数のデータテーブルと、その各々に記録されるべきデータのフィールドが形成されており、各作業アイテムについて、当該複数のデータテーブルを包含した単一のデータファイルが形成される。
【００１８】
前記作業アイテムにかかるデータテーブルの具体例としては、受付に関するデータテーブル、鉄筋に関するデータテーブル、加工形状に関するデータテーブル、加工ラインに関するデータテーブル、及びトラックに関するデータテーブルが用意されている。前記データテーブルには、各テーブルのインデックスを記録するフィールドが設けられたインデックステーブルが構成されており、各テーブルのＩＤがそれぞれ各データテーブルのインデックスとして後記状態フラグ用のフィールドと共に、各アイテムのインデックスが指すデータフィールドに記録されている（図１参照）。
【００１９】
前記受付に関するデータテーブルのＩＤ（受付ＩＤ）が示すフィールドには、依頼者、納品場所、納品日、加工日、及び積載日を記録するフィールドが、鉄筋に関するデータテーブルのＩＤ（鉄筋ＩＤ）が示すフィールドには、材質、径、定尺長さ、定尺本数、及び当該鉄筋を用いての具体的加工要求として加工形状ＩＤを記録する複数のフィールドが、それぞれ設けられている。鉄筋に関するデータテーブルは、その材質や径等の種類毎、或いは必要に応じて複数用意される場合もある。
【００２０】
また、前記加工形状に関するデータテーブルのＩＤ（加工形状ＩＤ）が示すフィールドには、形状（形状座標或いは形状ＢＭＰ）、はたらき、切り寸、及び本数を記録するフィールドが、前記加工ラインに関するデータテーブルのＩＤ（加工ラインＩＤ）が示すフィールドには、名称（機械名）、場所、動作（切断、曲げ、搬送等）、扱可能鉄筋径、単位時間処理能力（切断回数、曲げ回数、重量等）を記録するフィールドがそれぞれ設けられている。
【００２１】
更に、前記トラックに関するデータテーブルのＩＤ（トラックＩＤ）が示すフィールドには、トラックの名称、積載重量、及び所有者を記録するフィールドがそれぞれ設けられている。
【００２２】
前記作業アイテム登録手段は、前記受付中のメニューウインドウに表示された新規作成のアイコンをユーザーがクリックする事で生じる登録指令を受けたコンピュータが、作業アイテム登録プログラムを稼働することによって機能し、前記入力支援手段の機能を介在しつつ、作業アイテムの識別子、並びに、受付日、搬入日、加工帳の枚数、備考、現場、発注元（得意先等）、担当者（職長等）、該当エリア（棟、工区、階、部位、或いは部位詳細等）、及び加工種別（在来加工等）等のプロフィールを受け付けると共に、その内容をデータベースへ登録する。
【００２３】
前記加工帳受付処理においては、入力支援プログラムの稼働によって前記入力支援手段が機能し、前記データベースからの加工帳受付用フォーム（図１０参照）７を表示すると共に、当該加工帳受付用フォーム７に設けられた記入ボックス１２へ前記入力装置を用いて入力された前記作業アイテムの識別子（名称や数字・コード等）及びプロフィールを、前記受付ＩＤが示すフィールド等の各記入ボックスに割り当てられたメモリに保持し、ユーザーからの入力終了の指令を受けて当該メモリに保持された識別子及びプロフィールを前記データベースに記録する。この様にいったんデータベースに記録された作業アイテムについては、当該処理フェーズの前記加工帳受付中のメニューウインドウ１Ａの中に当該作業アイテムのアイコン３及びラベル４が追加される。
【００２４】
以降、コンピュータは、前記加工帳受付中のメニューウインドウ１Ａにおいて当該既登録作業アイテムのアイコンをクリックするといった処理司令を受けて前記入力支援手段として機能し、前記作業アイテムの識別子、プロフィール、及び既存の内容、並びに加工帳受付用フォーム（図１０参照）７を前記データベースからメモリ上へ読み出すと共に、前記作業アイテムの内容が当該加工帳受付用フォーム７に記入された形で（無い場合は空白）ディスプレイ装置へ出力する。
【００２５】
当該加工帳受付用フォーム７上に設けられたスイッチ１０に対するクリック操作等、ユーザーの入力操作で発生する修正指令を受けて、更に所定のデータ入力用フォーム（図示省略）を表示して前記記入ボックスによる既入力事項の修正を適宜行い、前記加工帳受付用フォーム７上のスイッチ１０に対するユーザーのクリック操作による入力終了の指令や承認司令、或いは、入力終了後に前記加工帳受付中のメニューウインドウ１Ａから加工帳受付完了のメニューウインドウ１Ｂへの当該アイコンのドラッグ＆ドロップ操作等で発生する承認指令を受けて、メモリ上に保持した既入力事項をその作業アイテムの識別子と共に前記データベースに記録する。
【００２６】
上記のごとく作業アイテムの登録内容の承認司令を前記加工帳受付用フォーム７のスイッチ１０を以て受けたコンピュータは、前記入力支援プログラムを稼働させて前記データベースからメインメニュー２のフォームをディスプレイ装置に出力し、前記加工帳受付用フォーム７において前記承認司令を受けた既登録作業アイテムについては、そのアイコン３を当該加工帳受付中のメニューウインドウ１Ａから削除すると共に、次フェーズたる加工帳受付完了のメニューウインドウ１Ｂの表示内容として追加する。また、承認を伴わない入力終了の司令に対しては、当該編集作業を行う以前と同じ状態のメインメニュー２をディスプレイ装置に表示する。
【００２７】
尚、当該例にあっては、その作業アイテムが次の処理フェーズへ移行出来る条件が満たされたものであるか否かを一瞥して判断できる様に、前記データ入力用フォームへの記入に際して与えられた必須入力条件が完備されているか否かを示すメッセージを前記アイコンにその色彩を以て付する内容管理手段を備えている。
【００２８】
従来は、必須入力条件が満たされるまではデータ入力用フォームを終了できなかったり、終了できても入力途中にある既入力データがキャンセルされたりするものがほとんどであり、たとえキャンセルがされなくとも、必須入力条件が満たされた作業アイテムであるか否かが当該作業アイテムのファイルを開かない限り容易に確認できないという問題があった。
【００２９】
上記従来の状態は、一人のユーザーによって当該作業アイテムに関する全てのデータが入力できれば良いものの、今日では複数のユーザーによって一つのコンピュータが使用され、又は複数の端末装置から分業という形で一つのネットワークサーバー等に入力する場合が多いことからその不都合さは比較的大きなものとなっている。また、入力作業の途中で席を外す場合など、当該作業アイテムのファイルを開きっぱなしに出来ない場合などにも不都合である。
【００３０】
前記内容管理手段は、各処理フェーズにおける作業フォームに、各作業アイテムでの入力のうち次フェーズに移行する為に必要不可欠な必須事項を予め割当てて前記データベースに登録しておき、前記各作業フォームにおける作業を終了した際に、入力したデータの内容について当該必須事項が充足されていない場合には、例えばグレーのアイコンを表示し、前記必須事項が満たされた場合には当該グレーのアイコンを、例えば水色のアイコンに変化させてディスプレイ装置に出力する。
【００３１】
具体的には、コンピュータは、ユーザーからの前記入力完了の指令を受けて前記データ入力用フォームによる作業を終了する際に、当該作業アイテムの内容等として各々割り当てられたメモリのフィールドに、例えば、“現場名の入力があるか？”、“受付日の入力があるか？”、“納品日の入力があるか？”等の必須事項を順次確認し、全ての必須事項が充足している場合に、当該作業アイテムの表示たるアイコン３にリンクした当該作業アイテムの状態フラグを更新し（尚、当該状態は、図８（Ｂ）では、状態フラグ“０２”以降の状態に相当する。）、当該フラグに対応した色彩を与えられた前記アイコン３の表示データを含むディスプレイ装置への表示出力を以て前記メインメニュー２におけるメニューウインドウ１に表示する当該アイコン３の色を変化させるものである（図７参照）。
【００３２】
上記のごとく正常に作業アイテムたる加工帳の受付が完了した作業アイテムについては、加工帳受付処理、加工帳作成処理、加工単位作成処理、及び定尺割当処理を、順番に又は選択的に行うこととなる。例えば、図１のごとく受付完了のメニューウインドウ１Ｂから加工帳作成中のメニューウインドウ１Ｃへドラッグ＆ドロップすれば、それを受けたコンピュータは、前記処理プログラムとして加工帳作成プログラムを稼働させ、当該加工帳作成手段の機能により前記データベースから読み出された加工帳作成用フォーム８を基に、例えば前記鉄筋に関するデータテーブル等に記録されたデータを図１１（Ａ）に示す様に前記作業アイテムの加工帳イメージとしてディスプレイ装置へ出力する。尚、既入力データが存在しない場合には、各記入ボックス１３は空欄となる。
【００３３】
上記加工帳受付処理のごとく、現フェーズのメニューウインドウ１から次フェーズのメニューウインドウ１へ所望の作業アイテムの識別子をドラッグ＆ドロップすることによって、ドロップ箇所として選択されたメニューウインドウ１に基づいて決まるデータ入力用フォームやイメージがディスプレイ装置に出力され所定の処理がなされるが、これらは、いずれもコンピュータが備える前記処理移行手段の機能によるものである。
【００３４】
この処理移行手段は、作業アイテムの受付から最終結果の出力に至る一連の処理シーケンスに則り複数の処理フェーズのメニューウインドウ１を一括表示するメインメニュー２に表示された現フェーズのメニューウインドウ１において作業アイテムが選択され、且つ、当該作業アイテムの識別子に対するドラッグ＆ドロップ操作やダブルクリック操作で発生する処理司令を受けて前記コンピュータ上で前記処理移行プログラムが稼働することにより機能し、図５に示す一連の処理を実行する。
【００３５】
即ち、前記のごとくユーザーにより所望の作業アイテムのアイコン３がドラッグ＆ドロップされると、先ず、ドラッグの開始位置に存在した当該処理司令の対象アイコン３にリンクされたインデックスから、当該対象アイコン３を識別符号とする作業アイテムの対象データを取得し、それに続いて、前記フラグ管理プログラムが稼働し、当該作業アイテムの状態フラグを当該対象データから取り出して前記状態フラグ用のフィールドに構成されたフラグテーブル（図８（Ｂ）参照）を参照して比較すると共に、当該作業アイテムが、当該処理司令を実行する為の必須事項を満たした移動可能アイテムか否かを判定する検査をフラグ管理手段によって行う。当該フラグテーブルには、アイテムの状態フラグとメニューＩＤとの関係が定義されたテーブルが、前記フラグ管理手段の判定基準の一つとして設けられており、例えば、ある状態フラグを持つ当該作業アイテムについてドラッグ＆ドロップが行われたメニューウインドウが、当該状態フラグについてのドラッグ元の持出メニューウインドウ及びドロップ先の受入メニューウインドウとして許容されるメニューウインドウであるか否か等を検査する。
【００３６】
前記必須事項を満たした作業アイテムとして判断すると、次に、当該アイコン３がドロップされたメニューウインドウ１にリンクされたインデックスから当該処理フェーズにおける処理プログラムを取得すると共に、入力支援プログラムを稼働させてコンピュータを前記入力支援手段として機能させる。当該入力支援手段は、当該処理プログラムに割り当てられた情報及び司令の入力を促す入力支援フォーム（上記処理の場合は、前記加工帳作成用フォーム８である。）を前記データベースから読み出しディスプレイ装置へ出力する。それらのフォームには、ユーザーが編集作業を行う為に、例えば、前記加工帳作成用フォーム８においては、一行挿入機能、又は一行削除機能を持つスイッチ１１や、文字等が入力できる記入ボックス１３等の編集手段が適宜設けられている。
【００３７】
上記編集手段を用いてコンピュータに入力されたデータは、当該処理プログラムによる種々の入力事項や処理結果の保存場所として定められたインデックスが示す前記メモリの各フィールドに記録され、前記クリック操作やドラッグ＆ドロップ操作による当該編集手段のプログラムを終了する旨の処理司令をユーザーから受けると、コンピュータは、先ず内容管理プログラムを稼働させて各処理フェーズに求められる必須事項が満たされているか否かの内容管理手段による検査を行い、当該処理フェーズにおいて与えられるべき必須事項が充足していない場合には、当該処理プログラムが前記メモリに記録されたデータをデータベースに保存して、当該処理移行手段による一連の処理を終了する。
【００３８】
一方、当該処理フェーズにおける必須事項が充足している場合には、当該処理プログラムは、上記編集作業によってコンピュータに入力されたデータを前記メモリの各フィールドに記録すると共に、当該作業アイテムの状態フラグを移動可能なステータス（図８（Ｂ）における状態フラグ“０２”又は“０３”）に更新し、前記処理移行手段は、当該作業アイテムのアイコン３及びラベル４を除いた元の現フェーズのメニューウインドウ１と、当該作業アイテムのアイコン３及びラベル４を加えた新規な現フェーズ（前記次フェーズ）のメニューウインドウ１、並びに、作業アイテムの受付から結果の出力に至る一連の処理シーケンスに含まれるその他複数の処理フェーズのメニューウインドウ１を一括表示したメインメニュー２をディスプレイ装置へ出力し、当該処理移行手段による一連の処理を終了する。尚、前記内容管理手段による必須事項の検査は、先に記した手続きを以て各処理フェーズにおける必須事項を確認する形で行われる。
【００３９】
而して、上記処理移行手段の機能によって読み出される前記加工帳作成プログラムに基づいて行われる加工帳作成処理においては、更に前記入力支援プログラムの稼働による前記入力支援手段の機能によって、前記データベースからの加工帳作成用フォーム（図１１参照）８を表示すると共に、当該加工帳作成用フォーム８に設けられた記入ボックス１３へ前記入力装置を用いて入力された鉄筋の名称、径、材質、加工形状、切寸、本数、箇所、及び合計を、各記入ボックス１３に割り当てられたメモリの鉄筋ＩＤが示すフィールドに保持し、ユーザーからの入力終了の指令を受けて当該メモリに保持された内容を前記データベースに記録する。尚、複数の鉄筋が記入された場合には、前記アイテムＩＤに示されたフィールドに記録される鉄筋に関するデータテーブルのインデックスとして前記鉄筋ＩＤを記録するフィールドが複数設けられ、各鉄筋ＩＤが示すフィールドには、材質、径、定尺長さ、定尺本数、及び加工形状ＩＤを記録する複数のフィールドが、それぞれ設けられる。
【００４０】
また、同入力終了の司令を受けて前記加工帳作成用フォーム８を閉じ、当該入力終了の司令を受けた既登録作業アイテムについては、そのアイコン３を前記受付完了のメニューウインドウ１から削除すると共に、次フェーズたる加工帳作成中のメニューウインドウ１の表示内容として追加する。
【００４１】
更に、当該処理にあっても、コンピュータは、ユーザーからの前記入力終了の指令を受けて前記データ入力用フォームによる作業を終了する際に内容管理手段を機能させ、当該作業アイテムの内容等としてメモリに保持したデータに、必須事項が存在するか否かを順次確認し、全ての必須事項が充足している場合には、当該処理フェーズの処理プログラムは、当該作業アイテムの表示たるアイコンにリンクした当該作業アイテムの状態フラグを更新し（因みに、更新前の状態は、図８（Ｂ）では、状態フラグ“０４”の状態に相当する。）、当該フラグに対応した色彩を与えられた前記アイコン３の表示データを含むディスプレイ装置への表示出力を以て前記メインメニュー２におけるメニューウインドウ１に表示する当該アイコン３の色を変化させる。
【００４２】
上記のごとく前記処理移行手段の機能によって稼働される処理プログラムは、前記入力支援手段の機能によって、情報及び司令の入力を促す入力支援フォームを前記データベースから読み出しディスプレイ装置へ出力すると共に、前記編集手段によって入力事項をメモリの所定フィールドに記録し、入力等の作業が終了した旨の処理司令を受けてデータベースに記録するものであるが、必要に応じ、前記メモリに記録されたデータをデータベースに記録する前に、所定の処理や演算等を行う処理プログラムを更に機能させる場合もある。
【００４３】
例えば、続く加工単位作成処理では、前記処理移行手段は、前記メインメニュー２における加工帳作成中のメニューウインドウ１Ｃから加工単位作成中のメニューウインドウ１Ｄへドラッグ＆ドロップされることによって、ドラッグの開始位置に存在した当該処理司令の対象アイコン３にリンクされたインデックスから、当該対象アイコン３を識別符号とする作業アイテムのデータを取得し、それに続いて、前記フラグ管理プログラムを稼働し当該作業アイテムの状態フラグを参照して当該処理司令を実行する為の必須事項を満たした移動可能アイテムか否かを、当該コンピュータのフラグ管理手段としての機能により判定するフラグ検査を行い、前記のごとく必須事項を満たした作業アイテムとして判断すると、次に、当該処理移行手段は、当該対象アイコン３がドロップされたメニューウインドウにリンクされたインデックスから当該処理フェーズにおける処理プログラムとして前記加工単位作成プログラムを取得し稼働させる。
【００４４】
当該加工単位作成プログラムの稼働により、コンピュータは、鉄筋形状のグループ分けを行う加工単位作成手段として機能し、更に、当該加工単位作成プログラムにリンクした入力支援プログラムを稼働させて、鉄筋形状のグループ分け条件を入力する為の入力支援手段として機能させる。当該加工単位作成手段は、前記受付ＩＤ、鉄筋ＩＤ、及び前記加工形状ＩＤが示すフィールドに記録された各種データ（図１参照）を前記データベースから読み出して前記グループ分け条件を満たした集計処理を行う。
【００４５】
前記集計処理では、例えば、同一アイテムに含まれ同種の加工が施されてなる同種の鉄筋に関するデータを各々１レコードにまとめてメモリに記録し、それらの内容を前記加工帳作成用フォーム８に記入した形の加工帳イメージをディスプレイ装置へ出力する。前記加工形状ＩＤが複数有る場合、即ち、図１１（Ａ）に示す加工帳に複数行に亘る鉄筋が記入されている場合であって、その中に、共通した加工形状を持つものが存在する場合において、加工単位作成プログラムが稼働したコンピュータは、それらの加工形状ＩＤを一つにまとめて表示し、或いは、一つの鉄筋形状ＩＤが示すデータテーブルに含まれる加工形状ＩＤをその分減少させた状態でデータベースに記録し保存する（図１１（Ｂ）参照）。
【００４６】
また、当該鉄筋管理システムにおける次フェーズであるところの定尺割当処理として、前記加工単位作成中のメニューウインドウ１Ｄから定尺割当中のメニューウインドウ１Ｅに対象アイコン３をドラッグ＆ドロップすることで稼働する定尺割当処理プログラムの様に、前記編集作業で用いられる加工帳作成用フォーム８においてユーザーから設定された定尺の取り合わせ条件に則り、前記データベースに予め登録された取り合わせ規則テーブル（種々の定尺物について寸法帯に応じた取り合わせ本数を定めたテーブル）を参照し自動的に定尺割当を行い、対象アイコン３を定尺割当中のメニューウインドウ１Ｅから定尺割当完了済みのメニューウインドウ１Ｆに表示する処理プログラムも挙げられる。
【００４７】
上記のごとく前記定尺割当手段によって定尺が割り当てられると、次に加工ラインの割当処理を経て加工作業に入ることとなるが、加工の効率化を考えると鉄筋、加工機械を有効に使用するために再グループ化を行うことが好ましい。例えば、加工待ちの作業アイテムに登録された鉄筋のなかに、現場は異なるが加工形状が同一のものが有る場合には、一緒に加工して積載時に分別すれば良いこととなる。
【００４８】
また、加工された鉄筋を積載する場合には、加工形状とは無関係に現場で使用する鉄筋を積載することが必要となる。積載重量によっては複数台のトラックを手配しなければならず、方向が同じで有れば複数の現場の材料を混載することもある。したがって、定尺割当処理以降は、ライン（加工）割当処理、絵符印刷処理、或いは加工指示書印刷処理等の加工分野の処理と、積載書作成処理や積載指示書印刷処理等の積載分野の処理は別々に計画され推移することになる。
【００４９】
この様な処理の分岐点においては、現フェーズに対する次フェーズが複数存在することから、単に、現フェーズのメニューウインドウ１から次フェーズのメニューウインドウ１へアイコン３を移すだけでは、現フェーズのメニューウインドウ１から対象アイコン３が消失し、残る一方の分野への処理が行えなくなる。そこで、現フェーズのメニューウインドウ１に存在する処理待ちの対象アイコン３を次フェーズのメニューウインドウ１へドラッグ＆ドロップすることにより、前記現フェーズのメニューウインドウ１に表示された当該対象アイコン３の色を、処理未了分野の存在を示す色彩（オレンジ色等）に変化させると共に、次フェーズのメニューウインドウ１にドロップされた当該アイコン３を当該フェーズにおける処理未了を示す旨の色彩（灰色等）で表示する処理移行手段となっている（図８(Ｂ)及び図１９参照）。
【００５０】
そして、前記現フェーズのメニューウインドウ１に処理未了分野の存在を示す色彩（オレンジ色等）で表示されている対象アイコン３に対し、更に、他の処理分野である次フェーズのメニューウインドウ１へドラッグ＆ドロップし、全ての処理分野の処理司令を受けたことを条件として前記現フェーズのメニューウインドウ１に表示された当該アイコン３は削除され、他方の分野である次フェーズのメニューウインドウ１にドロップされた当該アイコン３を当該フェーズにおける処理未了を示す色彩（灰色等）で表示する。
【００５１】
この様に、その処理フェーズから分岐する処理分野が二つ以上の場合には、当該処理フェーズにおける処理の進行状況に相当する状態フラグを設けると共に、当該状態フラグに応じた前記メインメニュー２におけるアイコン３の表示色を設定し、当該表示色に応じた表示データを出力する機能を具備するだけに止まらず、当該分岐点にあたる処理フェーズのメニューウインドウ１においては、更に分岐する枝毎の状態フラグを設け（図８（Ｂ）参照）、且つ当該状態フラグに応じた前記メインメニュー２におけるアイコン３の表示色を設定すると共に、当該表示色に応じた表示データを出力する機能を具備するといった、どの処理分野が未処理であるかがメインメニュー２に表示されたアイコン３の色を見ることで、一目で判別できる処理移行手段とすることが望ましい。
【００５２】
例えば、作業アイテムのアイコン３が定尺割当完了済のメニューウインドウ１Ｆに加工待ちを示す色彩（水色等）で存在し加工割当処理が未着手の場合を説明すると（図１９参照）、当該アイコン３をメインメニュー２の矢印にしたがって加工割当のメニューウインドウ１Ｇへドラッグ＆ドロップすることによって、前記処理移行手段は、前記定尺割当完了済のメニューウインドウ１Ｆに存在していた当該アイコン３をその場で前記処理未了分野の存在を示す色彩（オレンジ色等）に変えると共に、前記加工割当のメニューウインドウ１Ｇに当該フェーズにおける処理未了を示す旨の色彩（灰色等）のアイコン３を新しく追加する。これで、前記定尺割当完了済のメニューウインドウ１Ｆに存在するアイコン３は、加工は着手されたが積載計画は未着手であることが判断出来るが、加工が完了するまでに輸送計画を立てなければならない。
【００５３】
そこで、更に前記定尺割当完了済のメニューウインドウ１Ｆに存在するアイコン３を積載書作成のメニューウインドウ１Ｈへドラッグ＆ドロップすることによって、前記処理移行手段は、定尺割当完了済のメニューウインドウ１Ｆに存在する当該アイコン３を消去すると共に、当該作業アイテムの状態フラグを更新し（図８（Ｂ）参照）、積載書作成のメニューウインドウ１Ｈに当該フェーズにおける処理未了を示す旨の色彩（灰色等）のアイコン３を新しく追加する。
【００５４】
この場合、前記定尺割当完了済のメニューウインドウ１Ｆに存在する加工待ちを示す旨の色彩（水色等）のアイコン３を、前記加工割当のメニューウインドウ１Ｇよりも積載書作成のメニューウインドウ１Ｈへ先にドラッグ＆ドロップすることもでき、その際、前記定尺割当完了済のメニューウインドウ１Ｆに存在する当該アイコン３をその場で加工分野が未着手である旨の色彩（緑色等）に変えると共に、積載書作成のメニューウインドウ１Ｈに当該フェーズにおける処理未了を示す旨の色彩（灰色等）のアイコン３を新しく追加する。
【００５５】
当該例の場合は、前記加工割当のメニューウインドウ１Ｇに表示された処理対象であるアイコン３をダブルクリックしてライン割当プログラムを稼働させ、前記入力支援手段の機能により表示した処理フォームで加工ラインの割当について内容を、ライン割当手段の機能により編集・修正・確認し、承認を行えば、前記処理移行手段は、承認された作業アイテムのアイコン３を自動的に加工割当済みのメニューウインドウ１Ｉに移動させ、処理プログラム（加工割当プログラム）の稼働により機能するライン割当手段は、加工ラインの割当計画を作成する。尚、前記承認は、図示しない処理フォームに設けられたスイッチをクリックする形を採っても良いし、編集を終えて当該処理フォームを閉じた後、作業アイテムのアイコン３を加工割当済みのメニューウインドウ１Ｉへ人為的にドラッグ＆ドロップする形を採っても良い。
【００５６】
次に、作業アイテムのアイコン３を加工割当済みのメニューウインドウ１Ｉから絵符印刷済みのメニューウインドウ１Ｊへドラッグ＆ドロップすると、前記処理移行手段は絵符印刷プログラムを稼働させ絵符印刷手段を機能によりプリンタ等の印刷装置に当該作業アイテムの絵符印刷データを出力する。当該絵符印刷処理については、絵符の印刷が終了しても、前記積載分野の処理において積載計画が立てられるまでは、ドラッグ＆ドロップされた当該アイコン３は処理未了を示す旨の色彩（灰色）で表示されたままとなる。
【００５７】
そこで、前記積載書作成のメニューウインドウ１Ｈに表示された処理対象であるアイコン３をダブルクリックして積載書作成手段を機能させる積載書作成プログラムの稼働させると共に、前記入力支援手段の機能により表示した処理フォームで積載書の内容を編集・修正・確認し、承認を行えば、前記処理移行手段は、承認された作業アイテムのアイコン３を自動的に積載書作成済みのメニューウインドウ１Ｍに移動させる。尚、作業アイテムのアイコン３を積載書作成済みのメニューウインドウ１Ｍへ人為的にドラッグ＆ドロップする操作によっても、その編集内容が自動的に承認されたこととなる。
【００５８】
前記積載書作成手段を機能させる場合と同様に、積載書作成済みのメニューウインドウ１Ｍに表示された処理対象であるアイコン３をダブルクリックして積載指示プログラムの稼働により機能する積載指示書印刷手段を機能させると共に、前記入力支援手段の機能により表示した処理フォームで積載指示の内容を編集・修正・確認し、承認を行うと、前記積載指示書印刷手段は、プリンタ等の印刷装置に当該作業アイテムの積載指示書印刷データを出力する。
【００５９】
当該積載指示書印刷データの出力がなされることで当該作業アイテムの積載計画が立てられたこととなって、当該積載指示書印刷手段は、当該作業アイテムの状態フラグを変化させる。当該処理移行手段は、当該状態フラグの変化を検出し、前記処理未了を示す旨の色彩（灰色等）で表示された絵符印刷済みのメニューウインドウ１Ｊに表示されたアイコン３を処理完了を示す旨の色彩（緑色等）に変化させる。
【００６０】
最後に、当該絵符印刷済みのメニューウインドウ１Ｊに表示されたアイコン３を、加工指示済みのメニューウインドウ１Ｋへドラッグ＆ドロップし、前記積載書作成手段を機能させる場合と同様に、処理対象であるアイコン３をダブルクリックして加工指示書作成プログラムの稼働により機能する加工指示書印刷手段を機能させると共に、前記入力支援手段の機能により表示した処理フォームで積載指示の内容を編集・修正・確認し、承認を行うと、当該加工指示書印刷手段は、プリンタ等の印刷装置に当該作業アイテムの加工指示書印刷データを出力する。
【００６１】
上記のごとく、当該例による処理移行手段の機能によれば、単一の処理ルートから複数の処理ルートに分岐した場合においても、各処理フェーズにおける状態フラグを参照し、且つ当該状態フラグが一定のステータスにある場合に次フェーズの処理への移行を許可するフラグ管理手段を設けることによって、それら異種処理分野の処理において作業便宜を考慮した同期状態を形成することもできる。
【００６２】
この様に、上記処理移行手段が逐次介在し、当該作業アイテムのデータが必須事項を充足しているか否かを判断する内容管理手段による処理を経て処理指令に割り当てられた処理プログラムを適用すると共に、その出力結果を各処理プログラムに応じて定められた個別フィールドに重複無く記録し、且つそれらをデータベースに保存しつつ当該作業アイテムの表示を前記現フェーズのメニューウインドウ１から次フェーズのメニューウインドウ１へ移す処理が行われていき、各作業アイテムについて一つずつの集合データたるデータファイルが形成される。
【００６３】
また、一連の処理シーケンスの中では各処理フェーズにおける日程管理も重要となる。
前記スケジュール管理手段は、与えられた納期を受け付け当該納期に応じて各処理フェーズのメニューウインドウ１における処理移行期限を割り当てると共に、当該処理移行期限の到来を予告するメッセージ（下記例にあってはラベル４の色彩）を前記作業アイテムの表示に付するものである。
【００６４】
前記各処理フェーズの処理移行期限の割当は、当該スケジュール管理手段が機能することにより入力支援手段がデータベースから読み出した期限入力用フォーム（図１２参照）９で各処理フェーズの完了に要する時間を入力することにより行われる。入力された所用時間データは、メモリの各処理フェーズに割り当てられたデータフィールドへ記録され、当該スケジュール管理手段は、前記作業アイテムのプロフィールに含まれる搬入日と当該所用時間データから各処理フェーズが完了する期限（フェーズ完了期限）を算出しメモリの各処理フェーズに割り当てられたデータフィールドへ記録する。
【００６５】
前記処理移行プログラムが稼働したコンピュータは、処理移行手段として機能し、前記のごとくデータベースから読み出されたメインメニュー２をディスプレイ装置に表示するが、その際、各処理フェーズに表示された各アイコン３に対応する作業アイテムのデータをそれぞれ取得し、各処理フェーズにおける現在の状態フラグが目的の状態フラグとなるまでの前記所用時間データを取得する。当該所用時間データが示す時間Ｄを現在の日時に加え、その結果が前記フェーズ完了期限である日時以前で有れば正常に進捗しているとの色彩（黒色等）で当該アイコン３のラベル４を表示し、当該フェーズ完了期限である日時を経過している場合には、進捗が遅延している旨の色彩（赤色等）で当該アイコン３のラベル４を表示する。
【００６６】
上記例は、ネットワークサーバー５と、当該ネットワークサーバー５に情報ネットワークを介して接続される複数の端末装置６たる情報処理装置から構成される情報処理システムとして構成し、処理フェーズ毎に異なるオフィスで分業することも可能である（図４及び図１４参照）。
【００６７】
この例における前記ネットワークサーバー５は、作業アイテムのデータを複数記録したデータベース（以下、サーバーデータベースと記す。）を備えると共に、当該データベースを、インターネット等の広域情報ネットワークやローカルエリアネットワークの限定された端末装置に接続する通信装置を備えている。
【００６８】
一方、当該例における前記端末装置６は、種々の処理に用いられる処理プログラム、並びに、フォーム、取り合わせ規則テーブル等のデータテーブル等をはじめとする種々のデータを複数記録したデータベース（以下、端末データベースと記す。）が保存された記憶装置を備えると共に、前記サーバーデータベースに接続して作業アイテムに係る既存データの読み込み及び新規データ書き出しを行う通信手段と、前記作業アイテムの受付から結果の出力に至る一連の処理シーケンスに則り複数の処理フェーズのメニューウインドウ１及び前記作業アイテムの識別子を一括表示したメインメニュー２を表示すると共に、当該メインメニュー２における現フェーズのメニューウインドウ１において前記作業アイテムが選択され当該作業アイテムのデータに対する処理指令を受け付けることによって、当該処理指令に割り当てられた処理プログラムを適用すると共に、当該作業アイテムの識別子を前記現フェーズのメニューウインドウ１から次フェーズのメニューウインドウ１へ移す処理移行手段を備えた情報処理装置である。
【００６９】
即ち、当該例における各端末装置６は、先に記した孤立情報処理装置の実施の形態のデータベースに保存されたデータのうちの、作業アイテムに係るデータを、ネットワークサーバーのデータベースに、複数の端末装置の共有データとして装置外に常駐させると共に、先に記した情報処理装置の実施の形態の構成に、各種処理プログラムの稼働に応じ当該サーバーデータベースに接続して、処理対象の作業アイテムに係る既存データの読み込み及び新規データ書き出しを行う通信手段を設けた構成となる。
【００７０】
前記端末装置６が保持する情報処理プログラムの稼働によって、前記メインメニュー２が当該端末装置の端末データベースから読み出され、端末装置のディスプレイ装置に表示される。
【００７１】
各処理フェーズで稼働する前記処理移行手段は、当該メインメニュー２に表示された現フェーズのメニューウインドウ１において作業アイテムが選択され、且つ、当該作業アイテムに対するドラッグ＆ドロップ操作やダブルクリック操作で発生する処理司令を受けて前記コンピュータ上で前記処理移行プログラムが稼働することにより機能する（図６参照）。
【００７２】
先ず、ドラッグの開始位置に存在した当該処理司令の対象アイコン３にリンクされたインデックスを前記通信手段を経て前記ネットワークサーバー５へ送信し、そのサーバーデータベースから、当該対象アイコン３を識別符号とする作業アイテムのデータを取得する。それに続いて、そのデータに含まれる当該作業アイテムの状態フラグを参照して当該処理司令を実行する為の必須事項を満たした移動可能アイテムか否かを判定するフラグ検査を前記フラグ管理手段によって行う。
【００７３】
前記必須事項を満たした作業アイテムとして判断すると、次に、他のユーザーが使用中であるか否かを確認し、使用中でなければ、当該アイコン３がドロップされたメニューウインドウ１にリンクされた前記端末データベースのインデックスから当該処理フェーズにおける処理プログラムを取得すると共に、入力支援プログラムを稼働させてコンピュータを前記入力支援手段として機能させる。当該入力支援手段は、当該処理プログラムに割り当てられた情報及び司令の入力を促す入力支援フォームを前記端末データベースから読み出し当該端末装置のディスプレイ装置へ出力する。それらのフォームには、ユーザーが編集作業を行う為の編集手段が適宜設けられており、それらを用いてデータの編集、修正、確認、及び承認が行われる。
【００７４】
上記編集手段を用いてコンピュータに入力されたデータは、当該処理プログラムによる種々の入力事項や処理結果の保存場所として定められたインデックスが示す前記メモリの各フィールドに記録され、前記クリック操作やドラッグ＆ドロップ操作による当該編集作業を終了する旨の処理司令をユーザーから受けると、先ず、前記必須事項の検査を行い、当該処理フェーズにおいて与えられるべき必須事項が充足していない場合には、前記メモリに記録されたデータを、前記通信手段を通じサーバーデータベースにおける当該作業アイテムに割り当てられたエリア（例えば、先に取得したエリアのデータ内容に応じた位置。）に保存して当該処理移行手段による一連の処理を終了する。
【００７５】
この様に、当該実施の形態における各処理は、データベースに対する作業アイテムのデータの読み書きが、情報ネットワークに接続された前記端末装置６の通信手段、及びネットワークサーバー５の通信装置を介して行われる点で、先に記した実施の形態と異なり、前記入力支援手段、作業アイテム登録手段、内容管理手段、並びに前記各処理フェーズにおいて適用されるべく前記処理プログラムの実行によってそれぞれ機能する加工帳作成手段、加工単位作成手段、定尺割当手段、ライン割当手段、積載書作成手段、及び絵符印刷手段、積載指示書印刷手段、加工指示書作成手段、並びに前記処理移行手段、及びスケジュール管理手段も先に記した実施の形態と同様に情報ネットワークを介して行われることとなる。
【００７６】
この様に情報処理ネットワークを介して種々の処理が行われる事となると、各処理フェーズそれぞれにおいて作業を行うことを許可された作業者の特定が必要となる場合もある。即ち、当該情報処理ネットワークにアクセス出来る者全てに対して、一律に等しく作業を行う権限を与えていたのでは、各人の適正、経験、資格、或いは権限に基づく適正な処理が図れないこととなりやすい。
【００７７】
そこで、当該例による情報処理システムは、コンピュータたる前記端末装置６に、作業アイテムの受付から結果の出力に至る一連の処理シーケンスに則り複数の処理フェーズの使用制限設定ウインドウ２１、及び各処理フェーズの前記ネットワークサーバー５から読み出した使用制限事項を一括表示したユーザー別の使用制限メニュー２０を表示すると共に、当該使用制限メニュー２０における各フェーズの使用制限設定ウインドウ２１に与えられた設定司令に基づき前記使用設定事項の設定を、情報ネットワークを通じて前記サーバーデータベースに登録するユーザー管理手段と、当該ユーザー管理手段で設定されたユーザー毎の使用制限事項に基づき、許可された処理フェーズにおける許可された作業カテゴリの範囲内で、前記処理移行手段に対する処理司令をアクティブとする司令判定手段と、当該情報処理システムを利用する許可を持った者であるか否か、及び前記ユーザー管理手段自体を稼働させ得るユーザーであるか否かを判定する認証手段を備えることにより、鉄筋の加工依頼から加工した鉄筋の納品に至る業務につき、各処理フェーズにおける作業品質の向上を図っている（図１３参照）。
【００７８】
当該例のユーザー管理手段は、前記端末装置６の記憶装置に記録されているユーザー管理プログラムが、当該端末装置６の入力装置を介した処理司令を受け付けることによって選択的に稼働されて機能するものである。当該ユーザー管理プログラムが稼働すると、その認証プログラムにより前記認証手段が機能し、当該ユーザー管理作業を行おうとするユーザーに対し自己の識別子及び暗証番号等の入力を促す認証フォームが、前記端末データベースから前記入力支援手段の機能により読み出されて前記ディスプレイ装置へ出力される。
【００７９】
この様に、ユーザー管理機能を付加した情報処理システムの前記端末データベースには、前記端末装置が前記ユーザー管理手段として機能を奏する際に入力支援を行うべく読み出される複数のフォームが保存される一方、ユーザー管理機能を付加した情報処理システムの前記サーバーデータベースには、登録されたユーザーに関する複数のデータテーブルと、その各々に記録されるべきデータのフィールドが形成されている。
【００８０】
前記登録されたユーザーにかかるデータテーブルの例としては、個人情報に関するデータテーブル、及び情報処理システムの使用制限に関するデータテーブル等が挙げられる。前記データテーブルには、各テーブルのデータを記録するフィールドが設けられ、例えば、前記個人情報に関するデータテーブルには、個人識別子やパスワード等を含む個人情報データが記録されており、前記使用制限に関するデータテーブルには、新規作成、閲覧、或いは編集等、当該情報処理システムの使用時における作業カテゴリの制限事項を示す使用制限設定データが記録されている（図１５参照）。
【００８１】
前記認証手段は、当該端末装置６の通信手段、情報ネットワーク、及びネットワークサーバーの通信装置を介してネットワークサーバーのサーバーデータベースに接続し、当該端末装置６の入力装置により当該認証フォームに記入された管理ユーザーの識別子及びパスワードからなる認証データを、当該サーバーデータベースの前記個人情報に関するデータテーブルに予め登録してあった個人情報データと照合する。当該管理ユーザーの認証データが当該個人情報データの内容と一致するものと判定した場合に、当該ユーザー管理手段は、更に前記入力支援手段を機能させ、予め登録された被管理ユーザーに対応するラベル及びアイコンが一覧出来る様に表示された被管理ユーザー選択メニューのフォームを、前記データベースから読み出して表示する。
【００８２】
前記ユーザー管理手段は、所望の被管理ユーザーに対応した前記アイコンに対する前記管理ユーザーによるクリック操作という選択司令を受けて、前記入力支援手段を機能させ、選択した被管理ユーザーに関する使用制限メニュー２０のフォームを、前記端末データベースから読み出すと共に、前記のごとく情報ネットワークを通じてサーバーデータベースの使用制限データテーブルから選択した被管理ユーザーに関する使用制限設定データを読み込み、その内容を前記使用制限メニュー２０のフォームに後記のごとく反映させてディスプレイ装置へ出力する（図１３参照）。
【００８３】
当該使用制限メニュー２０には、加工帳受付中と加工帳受付完了の二つの使用制限設定ウインドウ２１Ａ，２１Ｂからなる加工帳受付管理メニューと、加工帳作成中、加工単位作成中、定尺割当中、及び定尺割当完了の四つの使用制限設定ウインドウ２１Ｃ，２１Ｄ，２１Ｅ，２１Ｆからなる加工帳作成管理メニューと、それぞれ一つの使用制限設定ウインドウ２１Ｇ，２１Ｈを持つ加工割当管理メニュー及び積載書作成管理メニューと、加工割当済み、絵符印刷済み、加工指示済み、及び加工完了の四つの使用制限設定ウインドウ２１Ｉ，２１Ｊ，２１Ｋ，２１Ｌからなる加工管理メニューと、積載書作成済み、積載指示済み、積載完了、及び納品完了の四つの使用制限設定ウインドウ２１Ｍ，２１Ｎ，２１Ｏ，２１Ｐからなる積載出荷管理メニューが、作業アイテムの受付から結果の出力に至る一連の処理シーケンスに則った各処理フェーズの使用制限メニューとして被管理ユーザー毎に備えられており、各処理フェーズの使用制限設定ウインドウ２１には、各処理フェーズで行われる作業に応じて、新規作成、閲覧、或いは編集等、当該情報処理システムの使用時における作業カテゴリの制限事項（或いは許可事項）を設定するチェックボックス２２が一覧的に表示されている。
【００８４】
前記ユーザー管理手段は、ユーザー管理プログラムを稼働することによって機能し、前記入力支援手段の機能を介在しつつ、所望の被管理ユーザーの当該情報処理システムの使用時における作業カテゴリの前記制限事項を、例えば、前記各処理フェーズの使用制限設定ウインドウ２１に表示されたチェックボックス２２をユーザーがクリックする事で生じる前記設定司令を受け付けると共に、その司令の内容を前記使用制限設定データとして、前記サーバーデータベースに設けられた使用制限に関するデータテーブルの、各チェックボックスにリンクしたインデックスが示すデータフィールドへ情報ネットワークを通じて記録する。
【００８５】
尚、被管理ユーザーの登録は、管理ユーザーがユーザー管理手段に対して前記所定の処理司令を与えて読み出された前記被管理ユーザー選択メニューのフォームにおいて、新規登録のアイコンをユーザーがクリックする事で生じる登録指令を当該端末装置６が受ける事によって可能となる。当該端末装置６は、当該登録司令を受けて被管理ユーザー登録プログラムを稼働させ、それによって機能する被管理ユーザー登録手段は、前記入力支援手段の機能を以て新規登録フォームを前記端末データベースから読み出し、管理ユーザーの入力操作で当該フォームの入力ボックスへ記入された被管理ユーザーの識別子、並びに、パスワード等を含む種々の個人情報を受け付けると共に、その内容を、前記サーバーデータベースの前記個人情報に関するデータテーブルの各入力ボックスにリンクしたインデックスが指し示すデータフィールドへ情報ネットワークを通じて登録する。
【００８６】
前記作業アイテムの受付から結果の出力に至る一連の処理において、例えば、図１３に示す使用制限メニューの加工帳作成管理メニュー２１Ｃには、新規作成、閲覧、及び編集のチェックボックスが用意されており、この例では、前記ユーザー管理手段で設定されたユーザー毎の使用制限事項として、全てのチェックボックスにチェックが付されている。この場合、前記司令判定手段は、加工帳作成処理においては、当該チェックが付された作業カテゴリを、当該処理フェーズにおける許可された作業の範囲として定め、新規作成、閲覧、及び編集の作業について、前記処理移行手段に対する処理司令をアクティブとする（図１６乃至図１８参照）。
【００８７】
この様に、当該司令判定手段による判定処理が加えられる場合の、前記端末装置における情報処理プログラムは、先ず、認証プログラムの稼働によって生じる前記認証手段の機能により被管理ユーザーの認証を行う。その際、前記認証手段は、前記管理ユーザーの認証の場合と同様に、当該認証フォームに記入されたデータを、前記個人情報に関するデータテーブルに予め登録してあった個人情報データと情報ネットワークを通じて照合し、一致するものと判定した場合に、更に前記入力支援手段を機能させ、前記端末データベースからメインメニュー２のフォームを読み出すと共に、各処理フェーズの処理過程にあるアイテムに関するデータを、情報ネットワークを通じてサーバーデータベースから読み出し、それらの識別子たるアイコン３及びラベル４を含めて前記ディスプレイ装置へ一覧表示する。
【００８８】
そこで、前記司令判定手段は、前記のごとくユーザーにより前記加工帳作成メニュー２１Ｃ内に存在する所望の作業アイテムのアイコン３がクリック、或いはドラッグ＆ドロップされると、先ず、前記使用制限に関するデータテーブルの認証を終えた被管理ユーザーに割り当てられたデータフィールドから新規作成、閲覧、或いは編集等、当該情報処理システムの使用時における作業カテゴリの制限事項を示す前記使用制限設定データを情報ネットワークを通じて読み出し、当該使用制限設定データから、当該被管理ユーザーにクリックされた位置、又はドラッグの開始位置を含む前記加工帳作成メニュー２１Ｃの表示にリンクされたデータフィールドの使用制限設定データを取得し、当該使用制限設定データを使用許否フラグとして参照しつつ、被管理ユーザーから与えられた前記処理移行手段に対する処理司令の許否判定を、各処理フェーズにおける作業カテゴリが変更される毎に介在し、前記チェックボックスにチェックが付された作業のみを、認証を終えた前記被管理ユーザーに許可するといった処理を実現する。
【産業上の利用可能性】
【００８９】
オフィス内といったローカルエリアに集中して行われる処理アイテムに止まらず、情報ネットワークを用いたグローバルエリアに分散して行われる処理アイテムに対しても、効率的で且つ複雑でないスケジュール管理システムや工程管理システム等の情報管理システムを多岐分野に亘って提供することに寄与する。
【図面の簡単な説明】
【００９０】
【図１】本発明による情報処理プログラム及び情報処理装置で行われる処理移行プログラム及び処理移行手段による処理の一例を示す説明図である。
【図２】本発明による情報処理プログラム及び情報処理装置で行われる処理の流れを示す説明図である。
【図３】本発明による情報処理プログラム及び情報処理装置で形成される機能手段の一例を示す機能ブロック図である。
【図４】本発明による情報処理プログラム及び情報処理装置と情報ネットワークを用いた情報処理システムの一例を示す構成図である。
【図５】本発明による情報処理プログラム及び情報処理装置で行われる処理移行プログラム及び処理移行手段による処理の一例を示すフローチャートである。
【図６】本発明による情報処理プログラム及び情報処理装置で行われる処理移行プログラム及び処理移行手段による処理の情報ネットワークを介した一例を示すフローチャートである。
【図７】本発明による情報処理プログラム及び情報処理装置で行われる内容管理プログラム及び内容管理手段による処理の一例を示すフローチャートである。
【図８】（Ａ）は、本発明による情報処理プログラム及び情報処理装置で行われるスケジュール管理プログラム及びスケジュール管理手段による処理の一例を示すフローチャートである。（Ｂ）は、作業アイテムの状態フラグ、対応する具体的な状態、及び所要時間を対応させたフラグテーブルの一例を表として示したものである。
【図９】本発明による情報処理プログラム及び情報処理装置で用いられるメインメニューの一例を示したものである。
【図１０】本発明による情報処理プログラム及び情報処理装置で用いられる加工帳受付用フォームの一例を示したものである。
【図１１】本発明による情報処理プログラム及び情報処理装置で用いられる加工帳作成用フォームの一例を示したものである。
【図１２】本発明による情報処理プログラム及び情報処理装置で用いられる期限入力フォームの一例を示したものである。
【図１３】本発明による情報処理プログラム及び情報処理装置で用いられる使用制限メニューの一例を示したものである。
【図１４】本発明による情報処理プログラム及び情報処理装置で形成される情報ネットワークを用いた情報処理システムを構成する機能手段の一例を示す機能ブロック図である。
【図１５】本発明による情報処理プログラム及び情報処理装置で用いられるユーザー権限データベースの構成例を示す表である。
【図１６】本発明による情報処理プログラム及び情報処理装置の指令判定手段における処理の一例を示すフローチャートである。
【図１７】本発明による情報処理プログラム及び情報処理装置の指令判定手段における処理の一例を示すフローチャートである。
【図１８】本発明による情報処理プログラム及び情報処理装置の指令判定手段における処理の一例を示すフローチャートである。
【図１９】本発明による情報処理プログラム及び情報処理装置で行われる処理移行プログラム及び処理移行手段による処理の一例を示すフローチャートである。
【符号の説明】
【００９１】
１  メニューウインドウ，
２  メインメニュー，
３  アイコン，４  ラベル，
５  ネットワークサーバー，６  端末装置，
７  加工帳受付用フォーム，８  加工帳作成用フォーム，
９  期限入力用フォーム，
１０，１１  スイッチ，１２，１３  記入ボックス，
２０  使用制限メニュー，２１  使用制限設定ウインドウ，
２２  チェックボックス，
【図２】
2005352585.tif 000003
【図３】
2005352585.tif 000004
【図４】
2005352585.tif 000005
【図５】
2005352585.tif 000006
【図６】
2005352585.tif 000007
【図７】
2005352585.tif 000008
【図８】
2005352585.tif 000009
【図１４】
2005352585.tif 000010
【図１５】
2005352585.tif 000011
【図１６】
2005352585.tif 000012
【図１７】
2005352585.tif 000013
【図１８】
2005352585.tif 000014
【図１９】
2005352585.tif 000015
【図１】
2005352585.tif 000016
【図９】
2005352585.tif 000017
【図１０】
2005352585.tif 000018
【図１１】
2005352585.tif 000019
【図１２】
2005352585.tif 000020
【図１３】
2005352585.tif 000021